(57)【要約】【課題】患者の情報を容易かつ効率的に入力することができ、患者の情報を適切に表示すること。【解決手段】第１の患者識別情報が処方箋から読み取られた場合に、第１の患者識別情報に基づいて処方箋の受付患者の一覧表を表示部２に表示させる患者情報表示装置１０の記憶部４が、第２の患者識別情報に対応する患者情報を記憶し、制御部５が、処方箋から第１の患者識別情報を読み取ることができない場合に、一覧表において処方箋の対象である患者を表示する領域を表示するよう表示部２を制御し、第３の患者識別情報の入力を受け付け、第２の患者識別情報のうち第３の患者識別情報に一致するものがあるか否かを判定し、第２の患者識別情報のうち第３の患者識別情報に一致するものがある場合に、第３の患者識別情報に一致する第２の患者識別情報に対応する患者情報を記憶部４から読み出して上記領域に表示するよう表示部２を制御する。【選択図】図１
2018169815.tif 000002
【特許請求の範囲】
【請求項１】
第１の患者識別情報が処方箋から取得された場合に、該第１の患者識別情報に基づいて前記処方箋の受付患者の一覧表を表示部に表示させる患者情報表示装置であって、
第２の患者識別情報に対応する患者情報を記憶する記憶部と、
前記処方箋から前記第１の患者識別情報を取得することができない場合に、前記一覧表において前記処方箋の対象である患者を表示する領域を表示するよう前記表示部を制御し、第３の患者識別情報の入力を受け付け、前記第２の患者識別情報のうち前記第３の患者識別情報に一致するものがあるか否かを判定し、前記第２の患者識別情報のうち前記第３の患者識別情報に一致するものがある場合に、前記第３の患者識別情報に一致する前記第２の患者識別情報に対応する患者情報を前記記憶部から読み出して前記領域に表示するよう前記表示部を制御する制御部と、
を備える患者情報表示装置。
【請求項２】
前記制御部は、前記第２の患者識別情報のうち前記第１の患者識別情報に一致するものがあるか否かを判定し、前記第２の患者識別情報のうち前記第１の患者識別情報に一致するものがない場合に、前記処方箋から読み取られる患者情報を新規の患者情報として前記記憶部に記憶させる請求項１に記載の患者情報表示装置。
【請求項３】
前記制御部は、前記第２の患者識別情報のうち前記第１の患者識別情報に一致するものが複数ある場合に、前記第２の患者識別情報の中からユーザにより選択された患者識別情報に対応する患者情報を前記記憶部から読み出し、読み出した患者情報に基づいて、前記第１の患者識別情報により識別される患者を受付患者とする受付患者の一覧表を表示するよう前記表示部を制御することを特徴とする請求項１に記載の患者情報表示装置。
【請求項４】
第１の患者識別情報が処方箋から取得された場合に、該第１の患者識別情報に基づいて第２の患者識別情報に対応する患者情報を記憶する記憶部から患者情報を読み出し、該患者情報に基づいて前記処方箋の受付患者の一覧表を表示する患者情報表示方法であって、
前記処方箋から前記第１の患者識別情報を取得することができない場合に、前記一覧表において前記処方箋の対象である患者を表示する領域を表示する第１の表示ステップと、
第３の患者識別情報の入力を受け付ける入力受付ステップと、
前記第２の患者識別情報のうち前記第３の患者識別情報に一致するものがあるか否かを判定する判定ステップと、
前記第２の患者識別情報のうち前記第３の患者識別情報に一致するものがある場合に、前記第３の患者識別情報に一致する前記第２の患者識別情報に対応する患者情報を前記記憶部から読み出して前記領域に表示する第２の表示ステップと、
を含む患者情報表示方法。
【請求項５】
第１の患者識別情報が処方箋から取得された場合に、該第１の患者識別情報に基づいて第２の患者識別情報に対応する患者情報を記憶する記憶部から患者情報を読み出し、該患者情報に基づいて前記処方箋の受付患者の一覧表を表示する患者情報表示プログラムであって、
前記処方箋から前記第１の患者識別情報を取得することができない場合に、前記一覧表において前記処方箋の対象である患者を表示する領域を表示する第１の表示手順と、
第３の患者識別情報の入力を受け付ける入力受付手順と、
前記第２の患者識別情報のうち前記第３の患者識別情報に一致するものがあるか否かを判定する判定手順と、
前記第２の患者識別情報のうち前記第３の患者識別情報に一致するものがある場合に、前記第３の患者識別情報に一致する前記第２の患者識別情報に対応する患者情報を前記記憶部から読み出して前記領域に表示する第２の表示手順と、
をコンピュータに実行させる患者情報表示プログラム。
【発明の詳細な説明】
【技術分野】
【０００１】
本発明は、患者の情報を表示する患者情報表示装置、患者情報表示方法、および、患者情報表示プログラムに関する。
【背景技術】
【０００２】
従来、調剤薬局では、患者の薬歴や診療報酬の情報を管理するため、病院等の医療機関が発行した処方箋の情報を入力する作業が行われている。
【０００３】
この作業の手間を省き、入力ミスを起こりにくくするため、患者識別情報および薬剤処方データをバーコードに変換し、処方箋に印刷する処方箋出力システムがある（例えば、特許文献１を参照）。このバーコードを読み取ることにより、患者識別情報および薬剤処方データを容易にコンピュータに入力することができる。
【先行技術文献】
【特許文献】
【０００４】
【特許文献１】特開２００３−１８６９９９号公報
【発明の概要】
【発明が解決しようとする課題】
【０００５】
しかしながら、現状では、すべての処方箋にバーコードが印刷されているわけではないので、上述した特許文献１の従来技術では、バーコードが印刷されていない処方箋については依然として手入力が必要となり、手間がかかるとともに、入力ミスも発生する。
【０００６】
本発明は、かかる従来の課題を解決するためになされたものであり、処方箋から患者を識別する識別情報を読み取ることができない場合であっても、患者の情報を容易かつ効率的に入力することができ、患者の情報を適切に表示することができる患者情報表示装置、患者情報表示方法、および、患者情報表示プログラムを提供することを目的とする。
【課題を解決するための手段】
【０００７】
上記目的を達成するために、本発明にかかる患者情報表示装置は、第１の患者識別情報が処方箋から取得された場合に、第１の患者識別情報に基づいて処方箋の受付患者の一覧表を表示部に表示させる患者情報表示装置であって、第２の患者識別情報に対応する患者情報を記憶する記憶部と、処方箋から第１の患者識別情報を取得することができない場合に、一覧表において処方箋の対象である患者を表示する領域を表示するよう表示部を制御し、第３の患者識別情報の入力を受け付け、第２の患者識別情報のうち第３の患者識別情報に一致するものがあるか否かを判定し、第２の患者識別情報のうち第３の患者識別情報に一致するものがある場合に、第３の患者識別情報に一致する第２の患者識別情報に対応する患者情報を記憶部から読み出して上記領域に表示するよう表示部を制御する制御部と、を備える。
【０００８】
また、本発明にかかる患者情報表示方法は、第１の患者識別情報が処方箋から取得された場合に、第１の患者識別情報に基づいて第２の患者識別情報に対応する患者情報を記憶する記憶部から患者情報を読み出し、患者情報に基づいて処方箋の受付患者の一覧表を表示する患者情報表示方法であって、処方箋から第１の患者識別情報を取得することができない場合に、一覧表において処方箋の対象である患者を表示する領域を表示する第１の表示ステップと、第３の患者識別情報の入力を受け付ける入力受付ステップと、第２の患者識別情報のうち第３の患者識別情報に一致するものがあるか否かを判定する判定ステップと、第２の患者識別情報のうち第３の患者識別情報に一致するものがある場合に、第３の患者識別情報に一致する第２の患者識別情報に対応する患者情報を記憶部から読み出して上記領域に表示する第２の表示ステップと、を含む。
【０００９】
また、本発明にかかる患者情報表示プログラムは、第１の患者識別情報が処方箋から取得された場合に、第１の患者識別情報に基づいて第２の患者識別情報に対応する患者情報を記憶する記憶部から患者情報を読み出し、患者情報に基づいて処方箋の受付患者の一覧表を表示する患者情報表示プログラムであって、処方箋から第１の患者識別情報を取得することができない場合に、一覧表において処方箋の対象である患者を表示する領域を表示する第１の表示手順と、第３の患者識別情報の入力を受け付ける入力受付手順と、第２の患者識別情報のうち第３の患者識別情報に一致するものがあるか否かを判定する判定手順と、第２の患者識別情報のうち第３の患者識別情報に一致するものがある場合に、第３の患者識別情報に一致する第２の患者識別情報に対応する患者情報を記憶部から読み出して上記領域に表示する第２の表示手順と、をコンピュータに実行させる。
【発明の効果】
【００１０】
本発明によれば、処方箋から患者を識別する識別情報を読み取ることができない場合であっても、患者の情報を容易かつ効率的に入力することができ、患者の情報を適切に表示することができる。
【図面の簡単な説明】
【００１１】
【図１】本発明の実施形態である患者情報表示装置の構成の一例を示す図
【図２】本実施形態にかかる患者情報表示処理の処理手順の一例を示すフローチャート
【図３】表示部に表示される受付患者の一覧表の一例を示す図
【発明を実施するための形態】
【００１２】
以下、本発明の実施形態について図面を参照しつつ説明する。なお、本発明はこの実施形態に限定されるものではなく、種々の変形が可能である。
【００１３】
図１は、本発明の実施形態である患者情報表示装置１０の構成の一例を示す図である。患者情報表示装置１０は、入力部１、表示部２、読取部３、記憶部４、および、制御部５を有する。
【００１４】
入力部１は、例えば、キーボード、マウス、ハンディスキャナ等の入力デバイスである。入力部１は、ユーザからの指示操作、選択操作などを受け付け、受け付けた操作の内容を制御部５に伝達する。例えば、入力部１は、ユーザが入力した処方情報を受け付ける。
【００１５】
処方情報とは、処方箋に記載されている情報である。処方情報は、例えば、患者を識別するための患者識別情報（患者氏名、性別、生年月日等）、患者が処方された薬剤の名称を示す情報、患者の病名を示す情報、処方薬剤の処方量を示す情報などを含む。
【００１６】
表示部２は、種々の情報を表示可能な液晶ディスプレイなどの表示デバイスである。例えば、表示部２は、制御部５による制御により、調剤薬局で処方箋を受け付けた患者の一覧表などを表示する。
【００１７】
読取部３は、処方箋に含まれる情報、および、処方箋に付された２次元コードを読み取るスキャナなどの読み取りデバイスである。ここで、２次元コードは、上述した処方情報などを含む。なお、２次元コード以外の他のコードが用いられてもよい。
【００１８】
記憶部４は、種々の情報を記憶するハードディスク装置やメモリなどの記憶デバイスである。例えば、記憶部４は、患者情報が登録された患者データ４ａを記憶する。患者データ４ａには、新たな患者が受け付けられるたびに、その患者の患者情報が追加される。
【００１９】
例えば、患者情報には、患者に割り振られた患者番号、患者氏名、患者の氏名のカタカナ表記である患者カナ、患者の性別、患者の保険番号、患者の生年月日、患者が通院している医療機関、および、診療科などの情報が含まれる。
【００２０】
制御部５は、患者情報表示装置１０の各部の処理を制御するＣＰＵ（Central Processing Unit）などの制御デバイスである。
【００２１】
例えば、制御部５は、読取部３により処方箋に付された２次元コードから読み取られた患者識別情報（以下、第１の患者識別情報と呼ぶ。）に一致するものが、記憶部４に記憶された患者識別情報（以下、第２の患者識別情報と呼ぶ。）にあるか否かを判定する。
【００２２】
そして、制御部５は、第２の患者識別情報のうち第１の患者識別情報に一致するものがない場合に、読取部３により処方箋から読み取られる患者情報を新規の患者情報として記憶部４に記憶させる。
【００２３】
また、制御部５は、読取部３が処方箋から第１の患者識別情報を読み取ることができない場合に、受付患者の一覧表に第１の患者識別情報により識別される患者を表示する領域を表示部２に表示させる。
【００２４】
第１の患者識別情報を読み取ることができない場合とは、処方箋に２次元コードが付されていない場合や、２次元コードは付されているが、処方箋の破れや汚れ等により２次元コードから第１の患者識別情報を読み取ることができない場合などである。
【００２５】
このような場合、制御部５は、入力部１を介して、患者を識別する患者識別情報（以下、第３の患者識別情報と呼ぶ。）の入力を受け付け、第２の患者識別情報のうち第３の患者識別情報に一致するものがあるか否かを判定する。
【００２６】
そして、制御部５は、第２の患者識別情報のうち第３の患者識別情報に一致するものがある場合に、第３の患者識別情報に一致する第２の患者識別情報に対応する患者情報を記憶部４から読み出して、上述した領域に表示するよう表示部２を制御する。
【００２７】
次に、図２を参照して、本実施形態にかかる患者情報表示処理の処理手順について詳しく説明する。図２は、本実施形態にかかる患者情報表示処理の処理手順の一例を示すフローチャートである。
【００２８】
まず、制御部５は、読取部３を制御して、処方箋の読み取りを行う（ステップＳ１０１）。そして、制御部５は、２次元コードの読み取りが可能か否かを判定する（ステップＳ１０２）。
【００２９】
２次元コードの読み取りが可能である場合（ステップＳ１０２においてＹＥＳの場合）、制御部５は、記憶部４に記憶されている第２の患者識別情報のうち第１の患者識別情報に一致するものがあるか否かを判定する（ステップＳ１０３）。
【００３０】
第２の患者識別情報のうち第１の患者識別情報に一致するものがある場合（ステップＳ１０３においてＹＥＳの場合）、制御部５は、第１の患者識別情報に一致する第２の患者識別情報に対応する患者情報を記憶部４から読み出す（ステップＳ１０４）。
【００３１】
そして、制御部５は、読み出した患者情報を受付患者の一覧表に表示するよう表示部２を制御し（ステップＳ１０５）、この患者情報表示処理を終了する。
【００３２】
第２の患者識別情報のうち第１の患者識別情報に一致するものがない場合（ステップＳ１０３においてＮＯの場合）、制御部５は、読取部３が読み取った患者情報を新たな患者の患者情報として記憶部３に記憶させる（ステップＳ１０６）。
【００３３】
さらに、制御部５は、その患者の患者情報を受付患者の一覧表に表示するよう表示部２を制御し（ステップＳ１０７）、この患者情報表示処理を終了する。
【００３４】
その際、制御部５は、新たに追加された患者の文字の表示色と他の患者の文字の表示色とを異なる色にしたり、背景色を変更したりするなどして、新たな患者をその他の患者から区別できるようにする。
【００３５】
ステップＳ１０２において、２次元コードの読み取りが可能でない場合（ステップＳ１０２においてＮＯの場合）、制御部５は、受付患者の一覧表において、第１の患者識別情報により識別される患者を表示する空欄の領域を表示部２に表示させ、その患者を仮受付患者として登録する（ステップＳ１０８）。
【００３６】
図３は、表示部２に表示される受付患者の一覧表２０の一例を示す図である。図３に示すように、この一覧表２０には、患者に割り振られた患者番号、患者氏名、患者カナ、医療機関、および、診療科、患者を受け付けた受付時間などの情報が表示される。
【００３７】
そして、２次元コードの読み取りが可能でない場合、処方箋の対象である患者を表示する空欄の領域２１が一覧表２０に表示される。図３の例では、空欄の領域２１は、患者番号、患者氏名、患者カナ、医療機関、および、診療科の項目に対応して設けられている。
【００３８】
また、受付患者の一覧表２０の他に、スキャナ等で取り込まれた処方箋の画像も処方箋の表示領域２２に表示される。
【００３９】
その後、制御部５は、患者を識別する患者識別情報（以下、第３の患者識別情報と呼ぶ。）の入力を受け付ける（ステップＳ１０９）。この患者識別情報は、例えば、患者名、性別、生年月日の情報である。
【００４０】
そして、制御部５は、記憶部４に記憶されている第２の患者識別情報のうち、第３の患者識別情報に一致するものがあるか否かを判定する（ステップＳ１１０）。
【００４１】
第２の患者識別情報のうち第３の患者識別情報に一致するものがある場合（ステップＳ１１０においてＹＥＳの場合）、制御部５は、第３の患者識別情報に一致する第２の患者識別情報に対応する患者情報を記憶部４から読み出す（ステップＳ１１１）。
【００４２】
そして、制御部５は、記憶部４から読み出した患者情報を空欄に表示するよう表示部２を制御し（ステップＳ１１２）、この患者情報表示処理を終了する。
【００４３】
図３の例では、記憶部４から読み出される患者情報は、患者番号、患者氏名、患者カナ、医療機関、および、診療科などの情報であり、これらの情報が空欄となっていた領域２１にそれぞれ表示される。
【００４４】
第２の患者識別情報のうち第３の患者識別情報に一致するものがない場合（ステップＳ１１０においてＮＯの場合）、制御部５は、入力部１を介して、ユーザから患者情報の入力を受け付ける（ステップＳ１１３）。
【００４５】
そして、制御部５は、入力された患者情報を空欄に表示するよう表示部２を制御する（ステップＳ１１４）。
【００４６】
図３の例では、入力部１を介して入力される患者情報は、患者番号、患者氏名、患者カナ、医療機関、および、診療科などの情報であり、これらの情報が空欄となっていた領域２１にそれぞれ表示される。
【００４７】
さらに、制御部５は、入力された患者情報を新たな患者の情報として記憶部４に記憶させ（ステップＳ１１５）、この患者情報表示処理を終了する。
【００４８】
なお、ステップＳ１１４において患者情報を空欄の領域に表示する場合に、患者情報が記憶部４に記憶されていない新たな患者の情報であることを示すため、制御部５は、患者情報を強調表示するよう表示部２を制御してもよい。
【００４９】
強調表示の方法としては、例えば、新たな患者の患者情報を他の患者の患者情報とは異なる色で表示したり、背景色を変更したりすることが挙げられる。
【００５０】
また、ステップＳ１０３で行われる判定において、記憶部４に記憶されている第２の患者識別情報のうち第１の患者識別情報に一致するものが複数ある場合、制御部５は、入力部１を介して、第２の患者識別情報のうちの１つの患者識別情報の選択をユーザから受け付けることとしてもよい。
【００５１】
この場合、制御部５は、第２の患者識別情報に加えて保険証番号などの患者を識別可能な情報を表示部２に表示させ、その情報をもとにユーザに患者識別情報を選択させればよい。
【００５２】
その後、制御部５は、ステップＳ１０４において、選択された患者識別情報に対応する患者情報を読み出し、ステップＳ１０５において、読み出した患者情報に基づき、第１の患者識別情報により識別される患者を受付患者とする受付患者の一覧表を表示するよう表示部２を制御する。これにより、適切な患者の情報を容易に表示させることができる。
【００５３】
同様に、ステップＳ１１０で行われる判定において、記憶部４に記憶されている第２の患者識別情報のうち第３の患者識別情報に一致するものが複数ある場合、制御部５は、入力部１を介して、第２の患者識別情報のうちの１つの患者識別情報の選択をユーザから受け付けることとしてもよい。
【００５４】
この場合も、制御部５は、第２の患者識別情報に加えて保険証番号などの患者を識別可能な情報を表示部２に表示させ、その情報をもとにユーザに患者識別情報を選択させればよい。
【００５５】
その後、制御部５は、ステップＳ１１１において、選択された第５の患者識別情報を含む患者情報を読み出し、ステップＳ１１２において、記憶部４から読み出した患者情報を空欄に表示するよう表示部２を制御する。これにより、適切な患者の情報を容易に表示させることができる。
【００５６】
以上のように、本実施形態によれば、処方箋から患者を識別する識別情報を読み取ることができない場合であっても、患者の情報を容易かつ効率的に入力することができ、患者の情報を適切に表示することができる。
【００５７】
なお、上記実施形態では、処方箋に付された２次元コードをスキャナなどの読み取りデバイスで読み取って第１の患者識別情報を取得することとしたが、文字認識装置を用いて処方箋に記載された第１の患者識別情報を認識して、第１の患者識別情報を処方箋から取得することとしてもよい。
【００５８】
また、処方箋が電子データからなる電子処方箋である場合には、電子処方箋から第１の患者識別情報を取得することとしてもよい。
【００５９】
以上、本発明に係る実施形態について図面を参照して詳述してきたが、上述した各装置の機能は、コンピュータプログラムにより実現され得る。
【００６０】
上述した各装置の機能をプログラムにより実現するコンピュータは、キーボードやマウス、タッチパッドなどの入力装置、ディスプレイやスピーカーなどの出力装置、ＣＰＵ（Central Processing Unit）、ＲＯＭ（Read Only Memory）、ＲＡＭ（Random Access Memory）、ハードディスク装置やＳＳＤ（Solid State Drive）などの記憶装置、ＤＶＤ−ＲＯＭ（Digital Versatile Disk Read Only Memory）やＵＳＢ（Universal Serial Bus）メモリなどの記録媒体から情報を読み取る読取装置、ネットワークを介して通信を行うネットワークカードなどを備え、各部はバスにより接続される。
【００６１】
そして、読取装置は、上記各装置の機能を実現するためのプログラムを記録した記録媒体からそのプログラムを読み取り、記憶装置に記憶させる。あるいは、ネットワークカードが、ネットワークに接続されたサーバ装置と通信を行い、サーバ装置からダウンロードした上記各装置の機能を実現するためのプログラムを記憶装置に記憶させる。
【００６２】
そして、ＣＰＵが、記憶装置に記憶されたプログラムをＲＡＭにコピーし、そのプログラムに含まれる命令をＲＡＭから順次読み出して実行することにより、上記各装置の機能が実現される。
【産業上の利用可能性】
【００６３】
以上説明してきたように、本発明は、患者情報を表示する装置に適用することができる。
【符号の説明】
【００６４】
１  入力部
１０  患者情報表示装置
２  表示部
２０  受付患者の一覧表
２１  空欄の領域
２２  処方箋の表示領域
３  読取部
４  記憶部
４ａ  患者データ
５  制御部
【図１】
2018169815.tif 000003
【図２】
2018169815.tif 000004
【図３】
2018169815.tif 000005